(57)【要約】【課題】遮光性に極めて優れしかも耐久性にも優れた自動車用日除け具を提供する。【解決手段】日除け本体と、日除け本体の外周に設けられた枠部材と、吸着部及び装着部を有する吸盤が備えられた自動車用日除け具において、日除け本体が、表網地層と中間網地層と裏網地層より構成される三層構造のネット状部材から形成されると共に、日除け本体の表編地層と中間編地層と裏編地層の３層が編物として一体的に編成されて、これら表編地層及び裏編地層が中間編地層を介して連結され、また吸盤の装着部には、枠部材に係合可能な係合溝が備えられ、枠部材への係合溝の係合により、吸盤が枠部材に装着されるようにしている。【選択図】  図３
2010116162.tif 000002
【特許請求の範囲】
【請求項１】
日除け本体と、日除け本体の外周に設けられた枠部材と、吸着部及び装着部を有する吸盤が備えられた自動車用日除け具において、日除け本体が、表網地層と中間網地層と裏網地層より構成される三層構造のネット状部材から形成されていることを特徴とする自動車用日除け具。
【請求項２】
日除け本体の表編地層と中間編地層と裏編地層の３層が編物として一体的に編成されて、これら表編地層及び裏編地層が中間編地層を介して連結されていることを特徴とする請求項１に記載の自動車用日除け具。
【請求項３】
吸盤の装着部には、枠部材に係合可能な係合溝が備えられ、枠部材への係合溝の係合により、吸盤が枠部材に装着されることを特徴とする請求項１または２に記載の自動車用日除け具。
【発明の詳細な説明】
【技術分野】
【０００１】
本発明は、主としてウインドガラスの内面側に取り付けて、太陽光が車室内に差し込むのを防止するための自動車用日除け具に関する。
【背景技術】
【０００２】
一般にこの種の日除け具は、枠部材と、この枠部材に張設された日除け本体と、この日除け本体に取り付けられた吸盤から構成され、吸盤をウインドガラスの内面に吸着させることで、枠部材内に張設された日除け本体によりウィンガラスを覆って用いるのであって、これにより、太陽光が社室内に差し込むのを阻止するようにしている。（特許文献１参照）。
【０００３】
ところで、前記した従来の日除け具では、日除け本体が、平編みとした一層の編地の網部材から構成されており、そのため充分な遮光性を確保することが困難であり、しかも網地の糸が部分的に切れた場合、網に孔が開き易く、日除け具として利用が困難になる不具合もある。
【０００４】
また従来の日除け具では、日除け本体に挿通孔を開設して、この挿通孔に吸盤の基部を嵌め込むことで、吸盤を日除け具に取り付けるようにしていることから、日除け具の製造時に日除け本体を構成する編地に孔を開けた際に、その孔の周りの編地がほつれないように、別途加工する必要があり、そのため日除け具の製造に手間を要するのは勿論のこと、網地に孔を開けることから、日除け本体もそれだけ弱くなって破損し易い。
【先行技術文献】
【特許文献】
【０００５】
【特許文献１】実用新案登録第３００１６７９号公報
【発明の概要】
【発明が解決しようとする課題】
【０００６】
本発明は以上の実情に鑑みて開発されてもので、目的とするところは、遮光性に極めて優れしかも耐久性にも優れた自動車用日除け具を提供することにある。
【課題を解決するための手段】
【０００７】
前記した目的を達成するために、請求項１に記載の発明は、日除け本体と、日除け本体の外周に設けられた枠部材と、吸着部及び装着部を有する吸盤が備えられた自動車用日除け具において、日除け本体が、表編地層と中間編地層と裏編地層より構成される三層構造のネット状部材から形成されていることを特徴とする。
【０００８】
また請求項２に記載の発明は、請求項１に記載の日除け本体の表編地層と中間編地層と裏編地層の３層が編物として一体的に編成されて、これら表編地層及び裏編地層が中間編地層を介して連結されていることを特徴とする。
【０００９】
また請求項３に記載の発明は、請求項１または２に記載の吸盤の装着部には、前記枠部材に係合可能な係合溝が備えられ、枠部材への係合溝の係合により、吸盤が枠部材に装着されることを特徴とする。
【発明の効果】
【００１０】
請求項１に記載の発明によれば、日除け本体が表編地層と中間編地層と裏編地層より構成される三層構造のネット状部材から形成されていることから、ウインド越しに差し込む太陽光が、表編地層、中間編地層、裏編地層を順次通過するに伴って次第に遮られ、結果として車室内への太陽光の入射量は極めて少なく出来て車室内が快適となる。
【００１１】
しかも日除け本体が三層構造であるので、全体として厚くてしかも強く、日除け本体が破れるなどの虞も少なく出来る。
【００１２】
請求項２に記載の発明によれば、請求項１に記載の発明の効果に加え、日除け本体の表編地層及び裏編地層が中間編地層を介して連結されていることから、日除け本体の強度が増大して、より一層日除け本体の破損などの虞がなくなる。
請求項３に記載の発明によれば、請求項１または２に記載の発明の効果に加え、吸盤の装着部には、前記枠部材に係合可能な係合溝が備えられ、枠部材への係合溝の係合により、吸盤が枠部材に装着されるようにしたから、従来のように日除け本体に取り付け孔を開設しなくとも吸盤を日除け具に組み付けることができ、従って、日除け本体自体の強度が損なわれることがないし、しかも吸盤を枠部材に沿ってスライドさせることが可能なので、吸盤を日除け本体の外周の所望の位置に簡単にセットすることが出来る。
【図面の簡単な説明】
【００１３】
【図１】本発明にかかる自動車用日除け具の一実施形態を示す正面図。
【図２】同、要部を一部切り欠いて示す拡大側面図。
【図３】日除け本体をイメージ的に表わした説明図。
【発明を実施するための形態】
【００１４】
以下、本発明の実施形態について図面を参照しながら説明する。
【００１５】
先ず、図１は本発明にかかる自動車用日除け具の一実施形態を示す正面図、図２は本発明にかかる自動車用日除け具の要部を一部切り欠いて示す拡大側面図、図３は日除け本体をイメージ的に表わした説明図である。
【００１６】
そして図において符号１で示す自動車用日除け具は、主として自動車のウインドガラスの内面側に装着して用いられるものである。
【００１７】
この日除け具１は、基本的には、伸縮性を有するネット状の生地から構成される日除け本体２と、日除け本体２の外周に設けられた枠材３と、吸着部４１及び装着部４２を有する吸盤４と、日除け本体２の一端側に設けられたバンド５が備えられている。
【００１８】
日除け本体２は、ラッセル編み機を用いてポリエステル製の黒色の糸から伸縮性を備えたネット状に編んだものであって、表編地層２ａと中間編地層２ｂと裏編地層２ｃより構成される三層構造のネット状部材から形成されている。
【００１９】
そしてこれら表編地層２ａと中間編地層２ｂと裏編地層２ｃの３層が編物として一体的に編成されて、これら表編地層２ａ及び裏編地層２ｃが中間編地層２ｂを介して連結されている。
【００２０】
枠部材３は、内部に断面扁平薄とした細長いばね鋼の両端部を連結してリング状に形成された枠体３１と、この枠体３１を覆う縁取り部材３２から成り、布片から構成された帯状の縁取り部材３２で枠体３１を覆い包むとともに、この縁取り部材３２に日除け本体２の周縁部が逢着されることで、日除け本体２が枠部材3内において張設されている。
【００２１】
バンド７は、ゴム編みにより伸縮可能に形成されたものであって、その長さ方向両端部が枠部材３を構成する縁取り部材３２に逢着されている。
【００２２】
尚、このバンド７の使用例としては、日除け具１の長手方向両辺を両手で持って８の字に曲げるようにひねって枠部材を3重のリングに畳んだ上で、その外周にバンド７を掛けることにより、畳んだ枠部材３が展開するのを阻止して、日除け具1全体を小さく格納できる。
【００２３】
吸盤４は、塩化ビニル樹脂（ＰＶＣ）から形成されたものであって、ラッパ状の吸着部４１と枠部材３への装着部６が備えられ、吸着部４１の基部に装着部４２が一体に形成されている。
【００２４】
そして装着部４２には、図６に示すように枠部材３の挿入溝４３と、枠部材３を構成する枠体３１が係合可能な係合溝４４が設けられている。
【００２５】
係合溝４４は、図２に示すように挿入溝４２の奥と連通するように形成されている。
【００２６】
以上の吸盤４は、係合溝４４に枠部材３１を係合させることで枠部材３に装着するようにしているので、従来のように日除け本体２に孔を開けなくとも吸盤４を日除け具１に組み付けることができ、日除け本体２自体の強度が損なわれることがない。
【００２７】
しかも吸盤４を枠部材３に沿ってスライドさせることが可能なので、吸盤４を日除け本体２の外周の所望の位置にセットすることが出来る。
【００２８】
以上の構造からなる日除け具１は、自動車の例えばサイドウインドガラスの内面に吸盤４の吸着部４１を吸着させて、ウインド越しに差し込む太陽光を日除け本体２で遮るのであって、日除け本体２が表編地層２aと中間編地層２ｂと裏編地層２ｃより構成される三層構造のネット状部材から形成されていることから、図３のイメージ図に示すように、サイドウインド越しに差し込む太陽光Ｓは、表編地層２ａ、中間編地層２ｂ、裏編地層２ｃを通過するたびに順次遮られて、車室内への太陽光Ｓの入射量は極めて少なくなり、車室内が快適となる。
【００２９】
また日除け本体２が前記したように表編地層２ａと中間編地層２ｂと裏編地層２ｃより構成される三層構造であるので、全体として厚くてしかも強く、日除け本体２が破れるなどの事故にも遭い難い。
【符号の説明】
【００３０】
１      自動車用日除け具
２      日除け本体
２ａ    表編地層
２ｂ    中間編地層
２ｃ    裏編地層
３      枠部材
３１    枠体
４      吸盤
４２    装着部
４３    挿入溝
４４    係合溝
５      バンド
【図１】
2010116162.tif 000003
【図２】
2010116162.tif 000004
【図３】
2010116162.tif 000005